(57)【要約】【課題】複数段のＳＡＷフィルタを使用することで通過帯域内の平坦度が失われ他も全体としての伝送特性を平坦にする。【解決手段】所定の周波数帯域で伝送されてきた高周波信号をアップコンバートする周波数変換器１と、複数段が縦続接続され、アップコンバートされた高周波信号を周波数帯域の幅で通過するＳＡＷフィルタ３とを備え、周波数帯域の中心に減衰極を有するトラップ回路２を周波数変換器１の前段に設けたので、ＳＡＷフィルタ３の伝送特性が通過帯域の中央部で盛り上がる単峰特性となっていても、その盛り上がる部分がトラップ回路２によって減衰する。【選択図】        図１
2004343240.tif 000002
【特許請求の範囲】
【請求項１】
所定の周波数帯域で伝送されてきた高周波信号をアップコンバートする周波数変換器と、複数段が縦続接続され、アップコンバートされた前記高周波信号を前記周波数帯域の幅で通過するＳＡＷフィルタとを備え、前記周波数帯域の中心に減衰極を有するトラップ回路を前記周波数変換器の前段に設けたことを特徴とする送信回路。
【請求項２】
前記トラップ回路はインダクタンス素子と容量素子と抵抗素子との直列接続回路からなり、前記抵抗素子を可変抵抗素子によって構成したことを特徴とする請求項１に記載の送信回路。
【発明の詳細な説明】
【０００１】
【発明の属する技術分野】
この発明は、周波数変換器によってアップコンバートした信号を送信する送信回路に関する。
【０００２】
【従来の技術】
従来の送信回路を図４に示すと、映像信号はその伝送特性に所望の振幅特性を与えるための映像振幅特性補正回路１１に入力される。映像振幅特性補正回路１１は直並列共振回路からなる第一のトラップ回路等で構成され、映像信号の伝送路とグランドとの間に接続される。そして、第一のインダクタンス素子１１ａと容量素子１１ｂとによって並列共振回路が構成され、さらに、並列共振回路に直列に第二のインダクタンス素子１１ｃが接続されて直列共振回路が構成される。また、並列共振回路にはダンピング用の抵抗１１ｄが並列に接続される。
【０００３】
映像振幅特性補正回路１１を通過した映像信号は前置増幅器１２によって所定レベルまで増幅され、次いで変調器１３に入力される。また、局部発振器１４から出力された中間周波搬送波も変調器１３に入力される。変調器１３では中間周波搬送波が映像信号によって振幅変調され、中間周波信号が出力される。中間周波信号は中間周波増幅器１５によって増幅され、次いで群遅延時間補正回路１６に入力される。
【０００４】
群遅延時間補正回路１６は、図示のように周知のブリッジＴ型の第二のトラップ回路で構成され、次段のＳＡＷフィルタ１７による群遅延時間の変化を補正するためのものである。そして、中間周波数帯に所定のレスポンスを与える。
ＳＡＷフィルタ１７はテレビジョン信号の伝送に必要な残留側波帯特性を中間周波数帯における中間周波信号に与えるための周波数特性（ナイキストスロープ）を持つ。この周波数特性によって中間周波信号の群遅延時間が変わるので、これを補正するために前述の群遅延時間補正回路１６が設けられる。
【０００５】
ＳＡＷフィルタ１７を通過した中間周波信号は図示しない周波数変換用の混合器に入力され、そこで送信すべきチャンネルのテレビジョン信号に周波数変換されて送信される（例えば、特許文献１参照。）。
【０００６】
【特許文献１】
特開２００２−２８１４０１号公報（図１）
【０００７】
【発明が解決しようとする課題】
上記構成において、ＳＡＷフィルタを複数段設けると、それぞれの伝送特性が加算されるので、通過帯域の伝送特性は中央部で盛り上がってしまって平坦な特性とはならない。
【０００８】
本発明は、複数段のＳＡＷフィルタを使用することで通過帯域内の平坦度が失われ他も全体としての伝送特性を平坦にする。
【０００９】
【課題を解決するための手段】
上記課題に対して、本発明は所定の周波数帯域で伝送されてきた高周波信号をアップコンバートする周波数変換器と、複数段が縦続接続され、アップコンバートされた前記高周波信号を前記周波数帯域の幅で通過するＳＡＷフィルタとを備え、前記周波数帯域の中心に減衰極を有するトラップ回路を前記周波数変換器の前段に設けた。
【００１０】
また、前記トラップ回路はインダクタンス素子と容量素子と抵抗素子との直列接続回路からなり、前記抵抗素子を可変抵抗素子によって構成した。
【００１１】
【発明の実施の形態】
図１は本発明の送信回路を示す。第一の周波数変換器１は第一のミキサ１ａと第一の発振器１ｂとを有する。第一のミキサ１ａに入力される高周波信号はデジタル変調（例えばＯＦＤＭ変調）された高周波信号であり、その中心周波数は９．１４ＭＨｚ、帯域幅は７．６ＭＨｚである。第一の周波数変換器１の前段にはトラップ回路２が設けられる。トラップ回路２はインダクタンス素子２ａ、容量素子２ｂ、抵抗素子２ｃが直列接続された直列共振回路で構成されている。その共振周波数は入力される高周波信号の中心周波数９．１４ＭＨｚに一致させている。
【００１２】
高周波信号は第一の周波数変換器１によって３９４ＭＨｚの第一中間周波信号に変換される。第一の中間周波信号はＳＡＷフィルタ３を通過して第一中間周波増幅器４で増幅される。第一の中間周波信号は局部発振信号とは９．１４ＭＨｚすか離れていないので、局部発振信号及びイメージ周波数信号を十分に抑圧するために、ＳＡＷフィルタ３は３段が縦続接続されている。各ＳＡＷフィルタ３の通過中心周波数は３９４ＭＨｚ、帯域幅は７．６ＭＨｚであるが、３段構成であるので、各段の特性が加算されて全体の伝送特性は、図２に示すように通過帯域の中央部で盛り上がる単峰特性となっている。
【００１３】
第一中間周波増幅器４によって増幅された第一中間周波信号は、第二の周波数変換器５によって２．５ＧＨｚの送信信号（第二の中間周波信号）にアップコンバートされる。第二の周波数変換器５は第二のミキサ５ａ、第二の発振器５ｂを有し、２．１０６ＧＨｚの局部発振信号が用いられる。
【００１４】
以上の構成では、トラップ回路２の特性とＳＡＷフィルタ３の特性とが加算されるので、トラップ回路２のＱを適宜に調整することによって全体の伝送特性を図３のようにフラットにすることができ、帯域内でフラットな第二中間周波信号を出力することができる。よって、デジタル変調された高周波信号は帯域内でフラットに伝送される。
【００１５】
【発明の効果】
以上説明したように、所定の周波数帯域で伝送されてきた高周波信号をアップコンバートする周波数変換器と、複数段が縦続接続され、アップコンバートされた高周波信号を周波数帯域の幅で通過するＳＡＷフィルタとを備え、周波数帯域の中心に減衰極を有するトラップ回路を周波数変換器の前段に設けたので、ＳＡＷフィルタの伝送特性が通過帯域の中央部で盛り上がる単峰特性となっていても、その盛り上がる部分がトラップ回路によって減衰する。よって、全体の伝送特性をフラットにすることができる。
【００１６】
また、トラップ回路はインダクタンス素子と容量素子と抵抗素子との直列接続回路からなり、抵抗素子を可変抵抗素子によって構成したので、その抵抗値を調整することで、全体の通過帯域をほぼフラット化できる。
【図面の簡単な説明】
【図１】本発明の送信回路の構成を示す回路図である。
【図２】本発明の送信回路中のＳＡＷフィルタの伝送特性図である。
【図３】本発明の送信回路の全体の伝送特性図である。
【図４】従来の送信回路の構成を示す回路図である。
【符号の説明】
１  第一の周波数変換器
１ａ  第一のミキサ
１ｂ  第一の発振器
２  トラップ回路
２ａ  インダクタンス素子
２ｂ  容量素子
２ｃ  抵抗素子
３  ＳＡＷフィルタ
４  第一中間周波増幅器
５  第二の周波数変換器
５ａ  第二のミキサ
５ｂ  第二の発振器
【図１】
2004343240.tif 000003
【図２】
2004343240.tif 000004
【図３】
2004343240.tif 000005
【図４】
2004343240.tif 000006